(57)【特許請求の範囲】
【請求項１】
定期乗車情報と金額情報とからなる改札情報が記録される無線式記録媒体と、この無線式記録媒体との無線通信により改札処理を行う自動改札装置とからなり、
上記自動改札装置が、
無線式記録媒体との無線通信を行う通信手段と、
この通信手段により無線式記録媒体から改札情報を受信し、定期乗車情報、あるいは金額情報に基づいて改札処理を行う第１の処理手段と、
この第１の処理手段により処理を実行した後に、処理内容を示す情報を上記通信手段により無線式記録媒体に送信する第２の処理手段とを備えた改札システムに使用され、
上記自動改札装置の第２の処理手段により送信された情報を受信した際に、受信した情報に基づいて上記自動改札装置の利用内容が定期乗車情報の利用か、金額情報の利用かを判断する判断手段と、
この判断手段により定期乗車情報の利用と判断した場合、定期乗車情報の利用内容を表示する第１の表示手段と、
上記判断手段により金額情報の利用と判断した場合、金額情報の利用内容を表示する第２の表示手段と、
を具備したことを特徴とする無線式記録媒体。
【発明の詳細な説明】
【０００１】
【発明の属する技術分野】
この発明は、例えば、鉄道の駅などの改札口に設置される自動改札装置と無線式記録媒体とからなる改札システムと、上記無線式記録媒体と、この無線式記録媒体の金額情報に基いて物品の取引を行う料金処理装置とからなる取引システムに関する。
【０００２】
【従来の技術】
近年、鉄道などの交通機関の駅には、乗車券の自動改札処理をする自動改札装置が設置されている。このような自動改札装置では、投入された乗車券に記録されている磁気等の情報を読取り、通行の可否を判断するとともに、必要に応じて穿孔・印刷等の処理を施している。
【０００３】
また、磁気により情報が記録される磁気式の乗車券）に代わり、無線通信を利用した非接触型のカード若しくは無線機器（以下、無線カードとする）により改札処理を行う自動改札装置がある。このような自動改札装置では、無線カードと無線通信を行うことにより無線カードに記録される情報の読取りおよび書込みを行う。また、無線カードとの無線通信により無線カードに記録されている情報を読取ると、自動改札装置は通行の許可不許可を判断する。この判断により通行の許可が判断されれば、そのまま通過が可能であるが、通行の不許可が判断された場合は、自動改札装置に設けられている扉を閉めて利用者の通行を阻止するとともに、表示部や音声などにより通行が不許可である旨を案内して利用者に認識させる。
【０００４】
しかしながら、無線カードに対応する自動改札装置において、無線カードの所持者（利用者）が自動改札装置を利用した場合、利用者に無線カードを利用したことを認知させる機能がないため、利用者は、正しく利用できているかどうかの判断ができない。
【０００５】
また、自動改札装置に直接投入して処理されるプリペイドカード（ＳＦカード；ｓｔｏｒｅｄ  ｆａｒｅ）が利用された場合、ＳＦカードに残額等の利用情報を印刷することにより利用者に利用内容を確認させている。しかし、ＳＦカードとしての機能を有する無線カードが利用された場合、利用内容を確認するには駅等に設置された専用の機器を利用して確認する必要があり、利用時にすぐに無線カードから利用内容を確認することはできない。
【０００６】
【発明が解決しようとする課題】
上記したように、無線式記録媒体により改札処理を行った場合に、利用者が利用内容を簡単に確認できないという欠点を除去したもので、無線式記録媒体の利用内容を簡単に確認することができる無線式記録媒体を提供することを目的とする。
【０００９】
【課題を解決するための手段】
この発明の無線式記録媒体は、定期乗車情報と金額情報とからなる改札情報が記録される無線式記録媒体と、この無線式記録媒体との無線通信により改札処理を行う自動改札装置とからなり、上記自動改札装置が、無線式記録媒体との無線通信を行う通信手段、この通信手段により無線式記録媒体から改札情報を受信し、定期乗車情報、あるいは金額情報に基づいて改札処理を行う第１の処理手段、およびこの第１の処理手段により処理を実行した後に、処理内容を示す情報を上記通信手段により無線式記録媒体に送信する第２の処理手段とを備えた改札システムに使用され、上記自動改札装置の第２の処理手段により送信された情報を受信した際に、受信した情報に基づいて上記自動改札装置の利用内容が定期乗車情報の利用か、金額情報の利用かを判断する判断手段、この判断手段により定期乗車情報の利用と判断した場合、定期乗車情報の利用内容を表示する第１の表示手段、および上記判断手段により金額情報の利用と判断した場合、金額情報の利用内容を表示する第２の表示手段から構成されている。
【００２２】
【発明の実施の形態】
以下、この発明の実施の形態について図面を参照して説明する。
【００２３】
図１は、この実施の形態に係わる自動改札装置１の概観を概略的に示す図である。
【００２４】
この自動改札装置１は、通常２台１組として駅の改札口などに複数組が並べて設置され、両者の間に利用者が通行する入場用あるいは出場用の通路が形成されている。
【００２５】
自動改札装置本体１上にはトップカバ−２が設けられている。この本体１の一端部には、磁気により情報が記録される磁気式の乗車券（磁気券）の投入口３が設けられ、複数枚の磁気券の一括または１枚ずつの投入を受け付けることができる。また、他端部には、入場時、または出場時に投入された磁気券を排出する排出口（返却口）４が設けられている。
【００２６】
投入口３の近傍には、乗車券の投入を阻止するためのシャッタ（図示しない）が設けられ、このシャッタの働きにより無線式記録媒体としての無線カード（無線機器）の誤投入を防止できるようになっている。
【００２７】
また、トッブカバー２上には、利用者が所持する無線カードと無線通信を行うための無線アンテナ５が設けられている。
【００２８】
上記排出口４の近傍のトップカバー２上には、利用者に対して、通行案内、通行不可時の案内などを行う案内表示部６が設けられている。自動改札装置１の通路側の側面には、通行が不許可の際に利用者の通行を阻止するドア部７が設けられている。また、本体およびポール部には、異常発生時に点灯したり、小児券が投入された際に点灯する異常／小児表示器８、および通路内の人間を検知する人間検知器９、１０が設けられている。
【００２９】
図２は、自動改札装置１の制御系を概略的に示すブロック図である。
【００３０】
自動改札装置１は、機器全体を統括制御するＣＰＵ２０を有している。このＣＰＵ２０には、ＲＯＭ２２、ＲＡＭ２４、運賃メモリ２６、無線通信制御部２８、装置センサ３０、検知回路３２、搬送制御回路３４、メインモータ３６、分離機構３８、磁気券処理部４０、通過検知回路４２、ドア制御回路４４、ドア開閉機構４６、表示制御回路４８、表示器制御回路５０、パンチ処理制御回路５２、パンチ処理部５４、シャッタ制御回路５６、シャッタ５８、一括プール制御回路６０、一括プール部６２、振分け制御回路６４、振分けゲート６６、サーマルヘッド制御回路６８、サーマルヘッド７０、監視盤インターフェース７２、監視盤７４、通信部７６などが接続されている。
【００３１】
上記ＲＯＭ２２は、ＣＰＵ１００の制御プログラムを記憶している。ＲＡＭ１０４は、上記ＲＯＭ２２と乗車券から読取った情報の記憶、予め選択可能に作成された複数の表示パターンの記憶、及び制御プログラムのバッファとしての情報を記憶する。上記運賃メモリ２６は、乗車券の使用が開始された入場駅からこの自動改札装置１０の設置駅までの運賃情報を記憶している。
【００３２】
上記装置センサ３０は、装置内に投入口から排出口まで設けられている図示しない搬送路上の各部に設置されている。上記検知回路３２は、装置センサ３０で感知した磁気券の投入を検知する。上記搬送制御回路３４は、上記検知回路３２の検知に基いてメインモータ３６を駆動し、投入口３から投入された磁気券を装置内の図示しない搬送路上を搬送させる制御を行う。上記分離機構３８は、搬送される磁気券が複数枚の場合、装置センサ３０および検知回路での検知結果に基いて１枚ずつに分離して搬送する。
【００３３】
上記磁気券処理部４０は、読取ヘッドを制御する読取回路、書込ヘッドを制御する書込回路により磁気券の記録内容の読取と書込みとを行うものである。上記通過検知回路４２は、人間検知センサの検知結果により通路内の利用者の通行状況を検知するものである。上記ドア制御回路４４は、ＣＰＵ２０による利用者の通行の許可不許可の判断に基づいて、上記ドア開閉機構４６によりドア部７の駆動させる。
【００３４】
上記表示制御回路４８は、表示部１６の表示画面を制御する。上記通信部７６は、通信回線によりネットワークで接続される複数の自動改札装置などの機器との通信を行うものである。
【００３５】
また、監視盤インターフェース７２は、係員が複数の自動改札装置１を一括して監視する監視盤７４と接続するものである。
【００３６】
次に、図３は、無線カード１００の内部構成を示すブロック図である。すなわち、無線カード１００は、ＣＰＵ１０２、ＲＯＭ１０４、ＲＡＭ１０６、受信部１０８、送信部１１０、受電部／電池部１１２、操作部１１４、表示器１１６を備えている。
【００３７】
上記ＣＰＵ１０２は、無線カード１００の各機器の動作を制御するものある。上記ＲＯＭ１０４は、種々の制御プログラム等が記憶される。上記ＲＡＭ１０６は、自動改札装置１との通信データや利用内容を示すデータ等が記録される。また、ＲＯＭ１０４またはＲＡＭ１０６の何れかに、無線カードごとに付与されるＩＤコードと改札情報とが記録される。例えば、無線カードが定期券とＳＦカードとの両方の機能を具備するものである場合、改札情報は、定期乗車情報として定期券の利用情報（利用区間、利用期間、購入日等の購入情報）と、金額情報としてＳＦカードの利用情報（購入時の金額、利用した区間、期日の情報、残額情報等の購入／利用情報）とが記録される。
【００３８】
上記受信部１０８は、無線カード１００に対して自動改札装置１から無線データが送信されたとき、そのデータを受信してＣＰＵ１０２、ＲＡＭ１０６等に供給する。また、上記送信部１１０は、ＣＰＵ１０２等で処理したデータを介して自動改札装置１に送信する。上記受電部／電池部１１２は、無線カード１００の各部を動作させる電源として機能する。この受電部／電池部１１２は、例えば、自動改札装置１などから送信される電磁波を受信し、これを受電部／電池部１１２で電力に変換して各部に供給しても良いし、受電部／電池部１１２に電池自体を内蔵させていても良い。
【００３９】
上記操作部１１４は、自動改札装置１との無線通信を制御するための操作を行うものである。この操作部１１４は、例えば、電源のオン／オフ、通信の可否の設定、無線カードが定期券の情報とＳＦカードの情報を有しているときにいずれか一方の機能を停止させる（一方の機能のみのデータでの無線通信を可能にする）などの操作を行う。
【００４０】
また、上記表示部１１６は、ＲＯＭ１０４及びＲＡＭ１０６に記憶されている情報などを表示させたり、上記操作部１１４の操作により選択されるデータ、若しくは自動改札装置１との通信による処理結果を表示するものである。この表示部１１６は、受電部／電池部１１２から供給される電源により駆動され、上記受電部／電池部１１２に電池が内蔵される場合などにはその電池からの電源供給により表示内容を表示する。また、表示部１１６は、受電部／電池部１１２が自動改札装置１などの処理装置から送信される電磁波を電力に変換して供給する場合などには一旦表示した内容をそのまま保持する性質を有する表示器を用いても良い。
【００４１】
また、専用の読取端末を利用して無線カード１００のＲＡＭ１０６などに記録されている情報を表示することもできる。この場合、専用の読取端末の形態としては、駅等に設置するものから、簡易ＩＣカード読取装置の様に、携帯可能な携帯型の小型のもので利用者が容易に利用できるものもある。このような読取端末を利用する場合、記録内容や処理内容などの情報を読取端末装置に設けられている表示部に表示したり、読取端末装置により駆動する無線カード１００の表示部１１６に表示させるという表示方法がある。
【００４２】
次に、無線カード１００の一例として定期券の機能とＳＦカードの機能とを併せ持つ無線カード１００について図４、図５、図６に示す外観図を参照して説明する。
【００４３】
無線カード１００の表示部１１６は、ＳＦカードの機能と定期券の機能とを持った無線カード１００において利用状況に合わせて表示内容を変化させる。この表示内容は、駅構内ヘの入場時あるいは出場時などに自動改札装置１との無線通信を行った際に、通信内容に基づく利用状況に合わせて表示を変化させる。つまり、表示部１１６に表示する表示内容は自動改札装置１との無線通信において、定期券の有効区間内の駅で使用した場合に、定期券として利用していることを確認できる内容とし、定期券の有効区間外で使用した場合に、ＳＦカードとして利用していることを確認できる内容とする。
【００４４】
図４に示す無線カード１００の例では、無線カード１００に定期券情報（利用区間）及びＳＦカード情報（３，０００円分のＳＦカードを購入したこと）を印刷しておく。そして、表示部１１６として、定期券の区間およびＳＦカードを示す情報の右側にそれぞれドットタイプの表示器１１６ａ、１１６ｂを設ける。これらの表示器１１６ａ、１１６ｂは、入場時あるいは出場時などに自動改札装置１との通信を行った際に、定期券の区間での利用に対しては、定期券の区間の右側の表示器１１６ａを点灯させ、定期券の区間外でＳＦカードでの利用に対しては、ＳＦカードを示す情報の右側に設けられた表示器１１６ｂを点灯させる。
【００４５】
また、無線カード１００の表示部１１６は、図５、図６に示すように、文字などを表示できるＬＥＤ、ＥＣＤ等で構成された表示器であっても良い。この場合、例えば、定期券の有効区間内での利用の際には、図５に示すように、入場時あるいは出場時に自動改札装置との通信により、定期券の利用区間、入場駅および利用日時などを表示させる。
【００４６】
定期券の有効区間外の駅で利用の際には、図６に示すように、ＳＦカードの機能の利用として入場駅（あるいは出場駅）名、利用日時、入場時引去額（出場時引去額）、残額などを表示させる。
【００４７】
なお、無線カード１００の表示部１１６に利用内容を表示させる期間は、定期券の利用の場合、およびＳＦカードの利用の場合いずれの場合にも、利用者が自動改札装置を通過した後、所定時間内であっても良いし、自動改札装置１で入場してから出場するまでの間であっても良い。
【００４８】
また、他の例として、図５、図６に示すように、無線カード１００にスイッチ１１４ａを設け、このスイッチ１１４ａが押下された際に、無線カード１００の利用履歴を表示するようにしても良い。
【００４９】
この場合、利用履歴は、普段の利用時にはあまり必要のないデータなので、無線カード１００上の操作部１１４に表示を指示するスイッチ１１４ａを設けてスイッチ１１４ａが押下された際に、表示部１１６に表示させる。この表示部１１６に表示する利用履歴は、例えば、スイッチ１１４ａの押圧に応じて、順次過去の利用履歴を表示させる。また、スイッチ１１４ａの押下パターンなどに応じて、定期券の利用履歴のみを表示したり、ＳＦカードでの利用履歴のみを表示したり、あるいは定期券およびＳＦカードの利用履歴の総てを混在させた利用履歴を表示するようにしても良い。さらに、定期券の利用履歴のみ、ＳＦカードの利用履歴のみ、あるいは全ての利用履歴のいずれかを選択するように予め設定することもできる。これにより、利用者が無線カードの利用履歴を簡単に確認できる。
【００５０】
さらに、利用履歴の他に、駅員の確認用に、不正利用の履歴の表示も可能とするようにしても良い。例えば、不正利用の例として、定期券の有効区間外またはＳＦカードの残額不足などにより、通過が不許可となったにもかかわらずに利用者が強行突破した場合、無線カード１００に自動改札装置で不正利用を示す情報の書込みをする様にし、後に、係員のみが指示できる指示方法により不正利用の内容を確認できるようにする。
【００５１】
この場合、不正利用の内容（不正利用の履歴）の表示は、利用者が表示させることができずに、駅の係員のみが表示を指示できる手段を設ける。例えば、利用履歴のスイッチ１１４ａとは別に、利用者が操作できない係員のみが操作できるスイッチ１１４ｂを設け、このスイッチ１１４ｂが指示された場合にのみ、不正利用の内容を表示する。また、単独のスイッチ１１４ａで、利用者には知らせない係員のみが知ってる押下パターンにより不正利用の内容を表示するようにしても良い。これにより、不正利用の内容を利用者が見ることができずに、係員のみが不正利用の履歴を確認することができる。
【００５２】
また、列車時刻、終電時刻案内、広告、駅から利用案内、利用時の注意等の駅から利用者への特別な情報提供が必要な場合、自動改札装置による処理後に、無線カード１００に表示データを送信し、この表示データを受信した無線カード１００が表示部１１６に表示データに基づく案内を表示するようにしても良い。
【００５３】
この場合、例えば、自動改札装置１などの無線カード１００を処理する装置において、無線カード１００が利用された場合に、処理が終了した後に、駅から提供される情報を無線カード１００に表示データとして送信する。これに対して、無線カード１００では、送信された表示データのみを表示するようにしても良いし、上記のような処理内容を表示してから所定時間後に、送信された表示データを表示するようにしても良いし、表示内容を切替えるスイッチ１１４ａが押下された際に表示するようにしても良い。
【００５４】
これにより、駅から利用者へ提供したい情報を簡単、かつ確実に提供することができる。
【００５５】
また、上記のような無線カード１００に送信される表示用のデータによる表示方法としては、表示内容を固定パターンとして予めカード内に記憶（内蔵）しておき、それらの固定パターンに対応する特定コードを受信して表示させる。
【００５６】
これにより、表示データとして送信するデータ量を軽減することができ、処理の高速化を図ることができる。
【００５７】
また、自動改札装置１などの装置側から送信する表示データを任意の内容としてテキストデータやビットマップデータなどを送信し、無線カード１００が表示データとして送信されたテキストデータやビットマップデータにしたがって表示部１１６に案内を表示させるようにしても良い。
【００５８】
これにより、任意の案内を表示データとして送信し、無線カード上に表示して利用者に多様な情報を案内として提供できる。
【００５９】
次に、入場時の入場処理について説明する。
まず、駅構内への入場時における自動改札装置１の動作について図７に示すフローチャートを参照しつつ説明する。
【００６０】
すなわち、自動改札装置１のＣＰＵ２０は、まず、無線通信制御部２８によりアンテナ５を介して起動信号を送信する（ステップ１）。そして、ＣＰＵ２０は、無線カード１００からのＩＤコードを無線通信制御部２８により受信したか否かを判断する（ステップ２）。この判断によりＩＤコードを受信したと判断した際、無線通信制御部２８によりアンテナ５を介して無線カード１００に対してデータ送信要求を送信する（ステップ３）。
【００６１】
ＣＰＵ２０は、データ送信要求を送信してから所定時間内に無線カード１００からの定期券情報、金額情報などの情報が受信できない場合（ステップ４、５）、タイムオーバと判断して処理を上記ステップ１に戻す。
【００６２】
また、データ送信要求に対して無線カード１００からの定期券情報、金額情報などの情報を受信した際（ステップ４）、ＣＰＵ２０は、受信した定期券情報に基づいて定期券の有効区間内か否かを判断する（ステップ６）。この判断により定期券の有効区間内であると判断した際、ＣＰＵ２０は、定期券の利用であることを判断し、定期券を利用した乗車であることを示す情報、入場駅、入場日時などの入場データを生成する（ステップ７）。ＣＰＵ２０は、この生成した入場データをアンテナ５を介して無線通信制御部２８により無線カード１００に送信する（ステップ８）。
【００６３】
また、上記ステップ６で、無線カードが定期券の有効区間内でないと判断した際、ＣＰＵ２０は、ＳＦカードの利用であると判断し、所定の利用金額（初乗り料金）を判断する。そして、ＣＰＵ２０は、無線カードの残額が上記利用金額よりも大きいか否かを判断する（ステップ９）。この判断により残額が利用金額よりも大きいと判断した際、ＣＰＵ２０は、残額より利用金額を引去って精算金額を算出する（ステップ１０）。ＣＰＵ２０は、利用金額を引去った残額、あるいは引去額などを含む入場データを生成する（ステップ１１）。ＣＰＵ２０は、生成した入場データを無線通信制御部２８によりアンテナ５を介して無線カードへ送信する（ステップ１２）。
【００６４】
上記ステップ８、１２で、入出場判定後の処理内容を示すデータとして入場データを無線カード１００に送信した後、ＣＰＵ２０は、無線カード１００のＩＤコード、処理状況（入場駅、日時、引去額、定期／金額いずれの使用か）、処理結果として通行許可であったことをＲＡＭ２４などのメモリ、あるいは処理内容を記録する外部装置としてのデータベース（図示しない）などに記録する（ステップ１３）。
【００６５】
そして、無線カード１００からの終了データを受信した際（ステップ１４）、ゲート（ドア部）７を開放して利用者の通行を許可する（ステップ１５）。所定時間内に終了データを受信できなかった際（ステップ１６）、ゲート７を閉じて利用者の通行を阻止する（ステップ１７）。
【００６６】
また、上記ステップ９で、残額が利用金額よりも大きくないと判断した際、ＣＰＵ２０は、利用者の入場の不許可を判断してゲート７を閉めて利用者の通行を阻止する（ステップ１８）。
【００６７】
この際、ＣＰＵ２０は、表示制御回路４８により案内表示部６に金額不足のため通行が不許可である旨の案内を表示する（ステップ１９）。そして、ＣＰＵ２０は通過が不許可であることを示すデータを無線通信制御部２８により無線カード１００に送信する（ステップ２０）。
【００６８】
そして、ＣＰＵ２０は、入出場判定後の処理内容を示すデータを無線カード１００に送信した後、無線カード１００のＩＤコード、処理状況（入場駅、日時、引去額、定期／金額いずれの使用）、および処理結果として通過不許可であったことをＲＡＭ２４あるいは図示しないデータベースに記録し（ステップ２１）、処理を終了する。
【００６９】
次に、上記自動改札装置１による入場処理に対応する無線カード１００における入場時の処理について図８に示すフローチャートを参照しつつ説明する。
【００７０】
すなわち、自動改札装置１からの起動信号を受信すると（ステップ３１）、無線カード１００のＣＰＵ１０２は、無線カード１００のＩＤコードを送信部１１０により自動改札装置１に送信する（ステップ３２）。これに対応して、自動改札装置１から所定時間内にデータ送信要求を受けると（ステップ３３）、ＣＰＵ１０２は、無線カード１００の定期券としての定期乗車情報とＳＦカードとしての金額情報とを読出し（ステップ３４）、自動改札装置１へ送信する（ステップ３５）。この際、所定時間内に自動改札装置１からのデータ送信要求が受信できなかった際（ステップ３３、３４）、処理を終了する。
【００７１】
この後、自動改札装置により通行の許可あるいは不許可が判断され、入場データや通過不可を示すデータなどの処理内容を示すデータを受信すると（ステップ３７）、ＣＰＵ１０２は、受信データをＲＡＭ１０６などのメモリに書込む（ステップ４０）。
【００７２】
この際、所定時間内にデータを受信できなかった場合（ステップ３７、３８）、所定時間内にデータ受信した旨の送信状況を示す情報をＲＡＭ１０６などのメモリに記憶する（ステップ３９）。
【００７３】
ＣＰＵ１０２は、上記ステップ４０で受信データをＲＡＭ１０６に書込んだ後、書込み終了データを自動改札装置１へ送信する（ステップ４１）。
【００７４】
ＣＰＵ１０２は、処理内容が定期券の利用か、ＳＦカードの利用かを判断する（ステップ４２）。この判断により処理内容が定期券利用の場合、定期券の利用であることを示す情報、あるいは定期券の利用区間や利用日時などの利用内容を表示部１１６に表示する（ステップ４３）。また、ＳＦカードの利用であると判断した際、ＳＦカードの利用であることを示す情報、あるいはＳＦカードとしての利用区間、利用日時、利用金額、残額などの利用内容を表示部１１６に表示する（ステップ４４）。
【００７５】
この表示から一定時間経過した後（ステップ４４）、ＣＰＵ１０２は表示部１１６に表示している表示内容を消去する（ステップ４５）。また、上記表示部１１６による表示を入場時から出場時まで表示させる場合、出場処理が行われるまで表示したままとするようにしても良い。
【００７６】
さらに、表示内容が消去された後に利用者が操作部１１４により再表示を指示する操作を行った際に（ステップ４６）、ＣＰＵ１０２は利用内容を表示したり、利用履歴などを表示する。
【００７７】
次に、出場時の出場処理について説明する。
まず、駅構内からの出場時における自動改札装置の動作について図９に示すフローチャートを参照しつつ説明する。
【００７８】
すなわち、自動改札装置１のＣＰＵ２０は、まず、無線通信制御部２８によりアンテナ５を介して起動信号を送信する（ステップ５１）。そして、ＣＰＵ２０は、無線カード１００からのＩＤコードを無線通信制御部２８により受信したか否かを判断する（ステップ５２）。この判断によりＩＤコードを受信したと判断した際、無線通信制御部２８によりアンテナ５を介して無線カード１００に対してデータ送信要求を送信する（ステップ５３）。
【００７９】
ＣＰＵ２０は、データ送信要求を送信してから所定時間内に無線カード１００からの定期券情報、金額情報、および入場データなどの情報が受信できない場合（ステップ５４、５５）、タイムオーバと判断して処理を上記ステップ１に戻す。
【００８０】
また、データ送信要求に対して無線カード１００からの定期券情報、金額情報、および入場データなどの情報を受信した際（ステップ５４）、ＣＰＵ２０は、受信した入場データに基づいて定期券の有効区間内で入場したか否かを判断する（ステップ５６）。この判断により定期券の有効区間内で入場したと判断した際、さらに、ＣＰＵ２０は、無線カード１００から受信した定期券情報に基いて当駅（出場駅）が定期券の有効区間内であるか否かを判断する（ステップ５７）。
【００８１】
この判断により当駅が定期券の有効区間内であると判断した際、ＣＰＵ２０は、定期券の有効区間内における乗車と判断し、定期券を利用した乗車であることを示す情報、および出場駅、出場日時などの出場データを生成する（ステップ５８）。ＣＰＵ２０は、この生成した出場データをアンテナ５を介して無線通信制御部２８により無線カード１００に送信する（ステップ５９）。ＣＰＵ２０は、出場処理の対象となった無線カード１００のＩＤコード、その処理状況（出場駅、日時、定期／金額いずれの使用か、出場の許可）などの処理内容をＲＡＭ２４などのメモリ、あるいは図示しない外部装置のデータベース（図示しない）などに記録する（ステップ６０）。
【００８２】
そして、ＣＰＵ２０は、無線カード１００からの処理終了を示す終了データを受信すると（ステップ６１）、ゲート７を開放して利用者の出場を許可する（ステップ６２）。この際、無線カード１００からの処理終了を示す終了データが所定時間内に受信できない場合（ステップ６３）、ゲート７を閉鎖して利用者の出場を不許可とする（ステップ６４）。
【００８３】
また、上記ステップ５６で、入場時に定期券の有効区間内で入場していないと判断した際、さらに、ＣＰＵ２０は、無線カード１００から受信した定期券情報に基いて当駅（出場駅）が定期券の有効区間内であるか否かを判断する（ステップ６５）。
【００８４】
この判断により当駅（出場駅）が定期券の有効区間内であると判断した際、ＣＰＵ２０は、すべてＳＦカードの利用による乗車あると判断し、入場駅から当駅までの利用料金を算出する（ステップ６６）。つまり、入場駅でＳＦカードで入場し、さらに出場駅が定期券の有効区間外であるためＳＦカードで出場する場合、入場駅から出場駅までがＳＦカードの利用であると判断して利用料金を算出する。
【００８５】
また、上記ステップ６５で、当駅が定期券の有効区間内でないと判断した際、ＣＰＵ２０は、入場駅から定期券の有効区間までがＳＦカードでの乗車であると判断し、入場駅から定期券の有効区間までの利用料金を算出する（ステップ６７）。つまり、入場駅でＳＦカードで入場し、さらに出場駅が定期券の有効区間内であるため定期券で出場する場合、入場駅から定期券の有効区間までがＳＦカードの利用区間であると判断して利用料金を算出する。
【００８６】
また、上記ステップ５７で、当駅が定期券の有効区間内でないと判断した際、ＣＰＵ２０は、定期券の有効区間から当駅までがＳＦカードでの乗車であると判断し、定期券の有効区間から当駅までの利用料金を算出する（ステップ６８）。つまり、入場駅で定期券で入場し、さらに出場駅が定期券の有効区間外であるためＳＦカードで出場する場合、定期券の有効区間から出場駅までがＳＦカードの利用区間であると判断して利用料金を算出する。
【００８７】
上記ステップ６６、６７、６８でＳＦカードの利用区間分の利用料金を算出した際、ＣＰＵ２０は、無線カード１００からの金額情報に基いて残額よりも利用料金が大きいか否かを判断する（ステップ６９）。
【００８８】
この判断により利用料金が残額よりも大きいと判断した際、ＣＰＵ２０は、ゲートを閉鎖して利用者の出場を阻止し、表示制御回路４８により案内表示部６に金額不足のため出場が不許可である旨の案内を表示する（ステップ７１）。
【００８９】
そして、ＣＰＵ２０は、出場の不可を通知するためのデータを作成して無線通信制御部２８により無線カード１００に送信するとともに（ステップ７２）、無線カード１００のＩＤコード、処理状況などの処理内容をＲＡＭ２４あるいは図示しないデータベースに記録する（ステップ７３）。
【００９０】
また、上記ステップ６９で、利用金額が残額よりも大きくないと判断した際、上記ステップ５８へ進み、ＣＰＵ２０は残額から利用金額を引去った精算金額を算出し、その引去り額を含む出場データを生成することにより出場処理を実行する。
【００９１】
次に、上記自動改札装置１における出場処理に対応する無線カード１００における出場時の処理について図１０に示すフローチャートを参照しつつ説明する。
【００９２】
すなわち、自動改札装置１からの起動信号を受信すると（ステップ８１）、無線カード１００のＣＰＵ１０２は、無線カード１００のＩＤコードを送信部１１０により自動改札装置１に送信する（ステップ８２）。そして、自動改札装置１から所定時間内にデータ送信要求を受けると（ステップ８３）、ＣＰＵ１０２は、無線カード１００の定期券情報と金額情報とを読み出し（ステップ８４）、自動改札装置１へ送信する（ステップ８５）。この際、所定時間内に自動改札装置１からのデータ送信要求が受信できなかった際（ステップ８６）、処理を終了する。
【００９３】
この後、自動改札装置１により出場の許可あるいは不許可が判断され、自動改札装置１から出場データあるいは出場の不許可を示すデータを受信すると（ステップ８７）、ＣＰＵ１０２は、受信したデータをＲＡＭ１０６などのメモリに書込む（ステップ８８）。この際、所定時間内にデータを受信できなかった場合（ステップ８９）、所定時間内にデータを受信できなかった旨の送信状況を示す情報をＲＡＭ１０６などのメモリに記憶する（ステップ９０）。
【００９４】
ＣＰＵ１０２は、上記ステップ８９で受信したデータをＲＡＭ１０６に書込んだ後、書込み終了を示す終了データを自動改札装置１へ送信する（ステップ９１）。
【００９５】
さらに、ＣＰＵ１０２は、処理内容が定期券の利用か、ＳＦカードの利用か、あるいは定期券とＳＦカードとの双方の利用かを判断する（ステップ９２）。この判断により処理内容が定期券の利用の場合、定期券の利用であることを示す情報、あるいは定期券の利用区間や利用日時などの利用内容を表示部１１６に表示する（ステップ９３）。
【００９６】
また、ＳＦカードの利用であると判断した際、ＳＦカードの利用であることを示す情報、あるいはＳＦカードとしての利用区間、利用日時、利用金額、残額などの利用内容を表示部１１６に表示する（ステップ９４）。
【００９７】
また、定期券とＳＦカードとの双方の利用であると判断した際、定期券とＳＦカードとの両方の利用であることを示す情報、あるいは定期券の利用区間とＳＦカードの利用区間、利用日時、利用金額、残額などの利用内容を表示部１１６に表示する（ステップ９５）。
【００９８】
この場合、例えば、図４に示すように、定期券の利用を示す表示器１１６ａとＳＦカードの利用を示す表示器１１６ａとからなる表示部１１６の場合、両方の表示器を点灯させる。また、図５、図６に示すように、表示部１１６が文字などの情報を表示するものである場合、定期券の利用区間、ＳＦカードの利用区間、利用金額、残額、および利用日時などを表示部１１６に表示させる。
【００９９】
この表示から一定時間経過した後（ステップ９６）、ＣＰＵ１０２は表示部１１６に表示している表示内容を消去する（ステップ９７）。また、上記表示部１１６による表示を入場時から出場時まで表示させる場合には、上記ステップ９５で表示されている内容を消すようにしても良い。
【０１００】
さらに、表示内容を消去後に利用者が操作部１１４により再表示を指示する操作を行った際に（ステップ９８）、ＣＰＵ１０２は利用内容を表示したり、利用履歴などを表示する。
【０１０１】
上記のように、改札処理を行った際に、利用内容、つまり処理内容を無線カード上の表示部に表示するようにしたものである。これにより、無線カードの所持者が自動改札装置を利用した場合に、利用した内容を簡単に認知することが可能となる。
【０１０２】
また、複数の機能を有する無線カードにより改札処理を行った際に、利用した機能を表示するようにしたものである。これにより、複数の機能を有する無線カードを利用した際に、どの機能を利用したかを利用者が認知しやすい。
【０１０３】
また、利用内容を表示した際に、その表示を所定時間後に消すか、あるいは出場時に消すようにしたものである。これにより、内蔵している電源を無駄に消費することなく、効率的に無線カードを利用できる。
【０１０４】
次に、上記した図７、および図８に示す入場処理では、１つの自動改札装置により入場処理について説明したが、複数の自動改札装置１、…がならべて設置されている改札口において、利用者の所持する無線カード１００が第１の自動改札装置１と無線通信よる入場処理を行ったにもかかわらずにその第１の自動改札装置１から入場せずに、他の自動改札装置１（第２の自動改札装置１）から入場する場合の入場処理について説明する。
【０１０５】
例えば、複数の自動改札装置により複数の通路が形成されている改札口おいて、利用者が複数の自動改札装置の内の１つの第１の自動改札装置に接近したとする。この場合、利用者の所持する無線カード１００が第１の自動改札装置の通信圏内に入ってしまうと無線通信が開始され、入場処理が実行される。
【０１０６】
しかし、その後、利用者が第１の自動改札装置が形成する通路から入場せずに、上記第１の自動改札装置に隣接する第２の自動改札装置が形成する通路を通過しようとした場合、第２の自動改札装置が無線通信により受信する無線カード１００には入場情報が記録されている。
【０１０７】
この場合、従来では、入場情報が記録されている無線カード１００による第２の自動改札装置での通過が不許可となってしまう。しかしながら、実際には、利用者は第１の自動改札装置の形成する通路から入場していないため、不正を行っているとは言えない。
【０１０８】
このため、上記のように、第１の自動改札装置で入場状態が記録された無線カード１００に対しても、第１の自動改札装置で入場処理を実行してから所定時間内に限って、第１の自動改札装置自体とその近傍に設置されている自動改札装置での入場を許可する。これは、第１の自動改札装置で処理してから無制限で第２の自動改札装置での入場を許可するようにすると、一旦入場した後の構外にいる他の者に無線カードのみを渡してその者が不正に入場するというような不正が行われる可能性がある。このため、一旦入場処理された無線カードに対して、入場処理した自動改札装置自体とその近傍に設置されている自動改札装置で、かつ上記所定時間内に限って、利用者の入場を許可するようにする。
【０１０９】
まず、上記のような複数の自動改札装置１、…が設置されている改札口において、利用者の所持する無線カード１００が第１の自動改札装置１と無線通信を行ったにもかかわらずにそのまま第１の自動改札装置１から入場せずに、他の自動改札装置１（第２の自動改札装置）から入場しようとした場合の処理について図１１、および図１２に示すフローチャートを参照しつつ説明する。
【０１１０】
すなわち、利用者が複数の自動改札装置により複数の通路が形成されてる改札口に接近し、その内の１つの自動改札装置（第１の自動改札装置）の通信圏内に利用者が所持している無線カード１００が入ったとする。この際、第１の自動改札装置は、起動信号を送信しており（ステップ１００）、ＩＤコードの受信待ちとなっているため、無線カード１００からのＩＤコードを受信すると（ステップ１０１）、無線カード１００との無線通信を開始して入場処理を実行する（ステップ１０２）。
【０１１１】
つまり、第１の自動改札装置のＣＰＵ２０は、送信する起動信号に対応する無線カード１００との無線通信により、無線カード１００に付与されているＩＤコードを受信すると（ステップ１００、１０１）、第１の自動改札装置のＲＡＭ２４などのメモリにＩＤコードを記録するとともに（ステップ１０３）、通信部７６によりネットワークを介して第１の自動改札装置に隣接する他の自動改札装置（第２の自動改札装置）にＩＤコードを送信する（ステップ１０４）。
【０１１２】
また、この場合、第１の自動改札装置の入場処理により無線カード１００に対する入場が許可と判定されると、無線カード１００には入場状態であることを示す入場情報が記録される。
【０１１３】
一方、第２の自動改札装置のＣＰＵ２０は、図１２に示すように、上記第１の自動改札装置から送信されたＩＤコードを受信すると（ステップ１１１）、受信したＩＤコードをＲＡＭ２４などのメモリに記録する（ステップ１１２）。
【０１１４】
この後、利用者が第１の自動改札装置が形成する通路から入場せずに、第２の自動改札装置が形成する通路へ進入して、上記第１の自動改札装置で入場処理がなされた無線カード１００を提示する。すると、第２の自動改札装置のＣＰＵ２０は、送信している起動信号に対応する無線カード１００との無線通信を開始して無線カード１００のＩＤコードを受信し（ステップ１１３、１１４）、無線カード１００との無線通信により入場処理を実行する（ステップ１１５）。
【０１１５】
この際、第２の自動改札装置のＣＰＵ２０は、無線カード１００が入場状態となっていない場合に利用者の入場を許可し（ステップ１１６）、ＩＤコードをＲＡＭ２４に記録するとともに（ステップ１１７）、隣接する自動改札装置にＩＤコードを送信する（ステップ１１８）。
【０１１６】
また、無線カード１００が入場状態となっている場合、第２の自動改札装置のＣＰＵ２０は、利用者の入場を許可せずに（ステップ１１６）、無線カード１００から受信したＩＤコードとＲＡＭ２４に記録しているＩＤコードとの照合を行う（ステップ１１９）。この際、ＲＡＭ２４には、隣接する自動改札装置で入場処理した無線カード１００のＩＤコード、および第２の自動改札装置自体が入場処理した無線カード１００のＩＤコードが記録されている。
【０１１７】
この照合処理によりＣＰＵ２０は、無線カード１００から受信したＩＤコードと一致するＩＤコードが存在するか否かを判断する（ステップ１２０）。この判断により無線カード１００から受信したＩＤコードと一致するＩＤコードが存在しなかった際、第２の自動改札装置のＣＰＵ２０は利用者の入場を不許可とする（ステップ１２１）。
【０１１８】
また、無線カード１００から受信したＩＤコードと一致するＩＤコードが存在すると判断した際、さらに、第２の自動改札装置のＣＰＵ２０は一致するＩＤコードの無線カードが処理された時間から所定時間以内か否かを判断する（ステップ１２２）。この判断により所定時間以内でないと判断した際、第２の自動改札装置のＣＰＵ２０は利用者の入場を不許可とする（ステップ１２１）。
【０１１９】
また、所定時間内であると判断した際、第２の自動改札装置のＣＰＵ２０は、第１の自動改札装置による入場情報の記録を無視して入場処理を実行する（ステップ１２３）。この結果、無線カード１００の入場の許可が判断されると、利用者は、第２の自動改札装置の形成する通路からの入場することができる。
【０１２０】
なお、上記例では、第１の自動改札装置で一旦入場処理された無線カードで、第１の自動改札装置に隣接する第２の自動改札装置で入場する場合の処理について説明したが、これに限らず、第１の自動改札装置で一旦入場処理された無線カードを用いて、再び第１の自動改札装置で入場する場合もＲＡＭ２４に記憶したＩＤコードに基いて、上記同様に、所定時間内であれば利用者の入場を許可する。
【０１２１】
上記のように、利用者が入場していないにもかかわらずに、一旦入場処理された無線カードを用いて入場する場合に、入場処理されてから所定の時間内に限って、その無線カードを用いた入場を許可するようにしたものである。
【０１２２】
これにより、不正を意図していないにもかかわらずに、通過しようとしていない時に、自動改札装置に入場処理された無線カードでの入場を許可することができ、利用者に対する利便性を向上できる。
【０１２３】
次に、駅などに設置されている売店などで無線カード１００に記録されている金額情報により物品を取引する取引システムの実施の形態について説明する。
【０１２４】
図１３は、売店などに設置される取引システムの料金処理装置１２０の構成を示すブロック図である。
【０１２５】
すなわち、図１３に示すように、料金処理装置１２０は、ＣＰＵ１２１、ＲＯＭ１２２、ＲＡＭ１２３、無線通信部１２４、表示部１２５、操作部１２６などにより構成される。
【０１２６】
次に、無線カード１００を用いて駅構内の売店で商品を購入する際の料金処理装置１２０の動作について図１４、図１５に示すフローチャートを参照しつつ説明する。
【０１２７】
すなわち、駅などの売店で物品を購入する際に、利用者が物品の購入代金の代わりに、金額情報としてＳＦカードの機能を有している無線カード１００を提示する。すると、売店では料金処理装置１２０に物品の購入代金としての引去額を操作部１２６により入力する（ステップ１３１）。すると、料金処理装置１２０のＣＰＵ１２１は、無線通信部１２４により起動信号を送信する（ステップ１３２）。この起動信号に対応して無線通信部１２４が無線カード１００からのＩＤコードを受信した際（ステップ１３３）、ＣＰＵ１２１は、無線通信部１２４によりデータ送信要求を送信する（ステップ１３４）。
【０１２８】
このデータ送信要求に対して、無線カード１００から送信されるデータを受信すると（ステップ１３５）、ＣＰＵ１２１は、無線カード１００が入場状態か否かにより乗車中か否かを判断する（ステップ１３６）。この判断により乗車中であると判断した際、ＣＰＵ１２１は、定期券での乗車か否かを判断する（ステップ１３７）。この判断により定期券での乗車であると判断した際、ＣＰＵ１２１はＳＦカードとしての金額情報の残額が予め設定されている所定の一定金額以下か否かを判断する（ステップ１３８）。この判断により所定の一定金額以下であると判断した際、ＣＰＵ１２１は残額が少ないことによる取引中止を判断する（ステップ１３９）。そして、残額が所定の一定金額よりも少ないことによる取引中止の旨を無線カード１００に送信する（ステップ１４０）。上記ステップ１３８で、残額と比較される所定の一定金額とは、予め設定される金額か、あるいは所定の初乗り金額を設定する。これにより、物品の購入をしたためにＳＦカードの出場ができなくなってしまうこと減らすことができる。
【０１２９】
また、上記ステップ１３６で乗車中でないと判断した場合、上記ステップ１３７で定期券の乗車であると判断した場合、あるいは上記ステップ１３８でＳＦカードとしての残額が所定の一定金額以上であると判断した場合、ＣＰＵ１２１は引去額（物品の購入金額）と残額とを比較して取引が可能であるか否かを判断する（ステップ１４１）。なお、乗車中でない無線カードを取引中止し、物品の購入における無線カードの利用を乗車中の無線カード、つまり駅構内での物品の購入にのみ限定するようにしても良い。これにより、無線カードでの物品購入の利用を制限することができる。
【０１３０】
ＣＰＵ１２１は、無線カード１００の残額に基いて取引が可能であると判断した際、無線カード１００から受信した残額より引去額を引去り（ステップ１４２）、新たな残額（取引後の残額）を設定して購入した物品名、取引日時、残額などを処理内容として無線カード１００に送信する（ステップ１４４）。また、上記ステップ１４１で無線カード１００の残額が引去額よりも少ないために取引か不可能であると判断した際、ＣＰＵ１２１は、残額不足のため取引中止を判断し、残額不足のため取引不可能である旨を無線カード１００に送信する（ステップ１４５）。
【０１３１】
上記の処理に対応して、無線カード１００では、図１５に示す処理が実行される。すなわち、無線カード１００のＣＰＵ１０２は、料金処理装置１２０からの起動信号を受信すると（ステップ１５１）、その応答としてＩＤコードを送信する（ステップ１５２）。
【０１３２】
さらに、料金処理装置１２０からのデータ送信要求を受信すると（ステップ１５３）、ＣＰＵ１０２は、無線カード１００のデータとして定期券情報および金額情報とともに、入場状態である場合には入場データを読み出して、カードのデータとして料金処理装置１２０に送信する（ステップ１５４）。
【０１３３】
その後、料金処理装置１２０からの処理結果を受信すると（ステップ１５５）、ＣＰＵ１０２は、その取引内容に応じて、無線カード１００の金額情報としての残額を変更し（ステップ１５６）、取引内容をＲＡＭ１０６などのメモリに記録する。さらに、ＣＰＵ１０２は、取引内容を表示部１１６に表示して取引処理を終了する。
【０１３４】
また、上記表示部１１６による表示は所定時間後に消去されるようにしても良いし、次の無線カード１００に対する処理が実行された際に消去するようにしても良い。
【０１３５】
また、上記のような取引内容を上記操作部１１４の操作により利用履歴として表示部１１６に表示するようにしても良い。この場合、利用履歴は、上記した改札処理の内容の履歴とともに、無線カードとしての利用履歴として表示するように手も良いし、物品の取引のみの利用履歴として表示するようにしても良い。
【０１３６】
また、上記例では、入場処理をＳＦカードの機能で行った場合には、物品購入時に物品購入後の残額と、予め設定した一定金額との比較を行い、残額が一定金額以下になるときには取引中止とするようにしたが、残額が一定金額以下となる場合であっても取引中止とせずに、出場時に残額が不足する旨の案内表示を料金処理装置１２０の表示部１２５、あるいは無線カードの表示部１１６に表示するようにしても良い。また、取引中止した場合にも、さらに、出場時に残額が不足する旨の案内表示を料金処理装置１２０の表示部１２５、あるいは無線カードの表示部１１６に表示するようにしても良い。
【０１３７】
また、定期券とＳＦカードの両方の機能を有する無線カードに対して、ＳＦカードでの入場時にＳＦカードの残額と比較される上記一定金額を、物品を購入する売店の設置されている駅が入場駅の場合に、入場駅から定期券の区間までの利用料金としても良い。これは、利用者が入場駅、出場駅、あるいは乗換え駅で売店を利用することが多いため、利用者が定期券の区間外の駅での入場した場合に、定期券の区間までのＳＦカードの利用金額を一定金額として設定し、出場時における残額不足を減らすことができる。
【０１３８】
また、物品購入を行う売店の設置されている駅が入場駅と異なる場合、その駅で出場すること予測されるため、上記一定金額を入場駅からその売店が設置されている駅で出場する場合の利用金額としても良い。これにより、出場時における残額不足を減らすことができる。
【０１３９】
上記のように、ＳＦカードの機能を有する無線カードにより物品の購入を可能とした。これにより、乗車券として利用される無線カードの多様性、利便性を向上することができる。
【０１４０】
また、無線カードとしてのＳＦカードで物品購入を行う場合に、無線カードが乗車中である場合に、物品購入後の無線カードの残額が所定の一定金額以下となる場合に、取引を中止したり、出場時に残額が不足する旨を案内するようにした。これにより、物品購入により出場時に残額が不足することを減らすことができる。
【０１４１】
【発明の効果】
以上詳述したように、この発明によれば、利用者が無線式記録媒体の利用内容を簡単に確認できる無線式記録媒体を提供できる。
【図面の簡単な説明】
【図１】この発明の改札システムに係わる自動改札装置の外観構成を示す図。
【図２】自動改札装置の内部の制御系統の構成を示すブロック図。
【図３】無線カードの内部の制御系統の構成を示すブロック図。
【図４】無線カードの表示部の表示例を示す図。
【図５】無線カードの表示部の表示例を示す図。
【図６】無線カードの表示部の表示例を示す図。
【図７】自動改札装置における入場処理を説明するためのフローチャート。
【図８】自動改札装置の入場処理に対応した無線カードの動作を説明するためのフローチャート。
【図９】自動改札装置における出場処理を説明するためのフローチャート。
【図１０】自動改札装置の出場処理に対応する無線カードの動作を説明するためのフローチャート。
【図１１】第１の自動改札装置における入場処理を説明するためのフローチャート。
【図１２】第２の自動改札装置における入場処理を説明するためのフローチャート。
【図１３】取引システムに係わる料金処理装置の内部構成を示すブロック図。
【図１４】料金処理装置における物品の取引処理を説明するためのフローチャート。
【図１５】料金処理装置の物品の取引処理に対応する無線カードの動作を説明するためのフローチャート。
【符号の説明】
１…自動改札装置
５…アンテナ
２０…ＣＰＵ
２４…ＲＡＭ
２８…無線通信制御部
７６…通信部
１００…無線カード
１０２…ＣＰＵ
１０４…ＲＯＭ
１０６…ＲＡＭ
１０８…受信部
１１０…送信部
１１２…受電部／電池部
１１４…操作部
１１４ａ…スイッチ
１１６…表示部
１１６ａ、ｂ…表示器
１２０…料金処理装置
１２１…ＣＰＵ
１２４…表示部
１２５…無線通信部
１２６…操作部
【図１】
0004392893.tif 000002
【図２】
0004392893.tif 000003
【図３】
0004392893.tif 000004
【図４】
0004392893.tif 000005
【図５】
0004392893.tif 000006
【図６】
0004392893.tif 000007
【図７】
0004392893.tif 000008
【図８】
0004392893.tif 000009
【図９】
0004392893.tif 000010
【図１０】
0004392893.tif 000011
【図１１】
0004392893.tif 000012
【図１２】
0004392893.tif 000013
【図１３】
0004392893.tif 000014
【図１４】
0004392893.tif 000015
【図１５】
0004392893.tif 000016